(57)【特許請求の範囲】
【請求項１】
錯視を誘起する錯視誘起パターンと、前記錯視誘起パターンによる錯視の誘起を抑制する錯視抑制パターンとを含む複写防止パターンを表示面に含む媒体であって、
前記錯視誘起パターンは、互いに隣り合う第１パターン要素群と第２パターン要素群とを含み、前記第１パターン要素群と前記第２パターン要素群とは、群ごとの方向からの仮想的な光の照射に従った陰影を各々が示す複数のパターン要素を含み、
前記第１パターン要素群に対する前記仮想的な光の照射方向は、前記表示面に含まれる１つの方向である操作方向に対して傾斜した方向であり、
前記錯視誘起パターンは、前記操作方向に沿った前記表示面の往復動によって、前記第１パターン要素群が、前記操作方向とは異なる方向に、前記第２パターン要素群に対して相対的に動くように見える錯視を生じさせ、
前記錯視抑制パターンは、複写機による前記表示面の複写によって顕像化するように構成され、前記錯視抑制パターンの顕像化によって前記錯視の誘起を抑制する
複写防止媒体。
【請求項２】
前記第１パターン要素群と前記第２パターン要素群とは、前記操作方向に沿って並んでいる
請求項１に記載の複写防止媒体。
【請求項３】
前記第１パターン要素群に含まれる前記パターン要素の有する形状は、前記第２パターン要素群に含まれる前記パターン要素の有する形状と異なる
請求項１または２に記載の複写防止媒体。
【請求項４】
前記第１パターン要素群に含まれる前記パターン要素の有する形状は、前記第２パターン要素群に含まれる前記パターン要素の有する形状と同一である
請求項１または２に記載の複写防止媒体。
【請求項５】
前記第１パターン要素群に対する前記仮想的な光の照射方向と、前記第２パターン要素群に対する前記仮想的な光の照射方向とのなす角の角度は、１８０°とは異なる角度である
請求項１〜４のいずれか一項に記載の複写防止媒体。
【請求項６】
前記パターン要素における縁部は、各パターン要素に１つずつの環上に位置し、
前記錯視誘起パターンは、前記パターン要素間の隙間に位置する中濃度領域と、前記中濃度領域よりも色の薄い低濃度領域および前記中濃度領域よりも色の濃い高濃度領域の少なくとも一方である濃淡形成領域とを有し、
前記濃淡形成領域は、前記パターン要素における前記縁部に位置し、当該縁部が位置する環においてその周方向の２分の１以上を占める
請求項１〜５のいずれか一項に記載の複写防止媒体。
【請求項７】
前記錯視誘起パターンは、前記濃淡形成領域として前記低濃度領域および前記高濃度領域を有し、
前記低濃度領域の位置する部分は、前記縁部が位置する環においてその周方向の２分の１以下であり、前記高濃度領域の位置する部分は、前記縁部が位置する環においてその周方向の２分の１以下である
請求項６に記載の複写防止媒体。
【請求項８】
前記第１パターン要素群および前記第２パターン要素群の少なくとも一方において、前記パターン要素における前記濃淡形成領域の位置する前記縁部は、前記操作方向および前記操作方向と直交する方向のいずれとも異なる方向に延びている
請求項６または７に記載の複写防止媒体。
【請求項９】
前記錯視誘起パターンと前記錯視抑制パターンとは重なり、
前記錯視抑制パターンは、前記第１パターン要素群を横切って延びる帯状の部分と、前記第２パターン要素群を横切って延びる帯状の部分とを有する
請求項１〜８のいずれか一項に記載の複写防止媒体。
【発明の詳細な説明】
【技術分野】
【０００１】
本発明は、複写機による偽造を抑えるためのパターンを有する複写防止媒体に関する。
【背景技術】
【０００２】
複写防止媒体は、原本とその複写物との判別が可能であるように構成された媒体であり、例えば、有価証券や各種証明書等のように、複写機による偽造を抑える必要のある印刷物として利用される。
【０００３】
詳細には、複写防止媒体は、例えば特許文献１に記載のように、複写によって再現される大きさの網点が配置された再現領域と、複写によって再現されない大きさの網点が配置された非再現領域とからなるパターンを有している。複写防止媒体の複写物においては、再現領域内には網点が印字される一方、非再現領域内には網点が印字されないため、再現領域と非再現領域との濃淡に差異が生じる結果、これらの領域の識別が可能となり、上記パターンが視認される。したがって、複写防止媒体とその複写物との判別が可能である。
【先行技術文献】
【特許文献】
【０００４】
【特許文献１】特開２０１３−１１６５８７号公報
【発明の概要】
【発明が解決しようとする課題】
【０００５】
複写防止媒体の偽造防止効果を高めるためには、複写防止媒体とその複写物との判別が容易であること、すなわち、複写前の複写防止媒体においては、再現領域と非再現領域との差異が不明瞭であり、かつ、複写防止媒体の複写物においては、再現領域と非再現領域との差異が明瞭であることが望ましい。しかしながら、複写技術の向上に伴って複写物の高精細化が進む近年では、再現領域を構成する網点と非再現領域を構成する網点との大きさや配置の違いを利用して複写前後におけるこれらの領域間の見え方の違いを大きくすることには限界がある。したがって、複写防止媒体には、その複写物との判別を容易にするための新たな構成が求められている。
【０００６】
本発明は、偽造防止効果を高めることのできる複写防止媒体を提供することを目的とする。
【課題を解決するための手段】
【０００７】
上記課題を解決する複写防止媒体は、錯視を誘起する錯視誘起パターンと、前記錯視誘起パターンによる錯視の誘起を抑制する錯視抑制パターンとを含む複写防止パターンを表示面に含む媒体であって、前記錯視誘起パターンは、互いに隣り合う第１パターン要素群と第２パターン要素群とを含み、前記第１パターン要素群と前記第２パターン要素群とは、群ごとの方向からの仮想的な光の照射に従った陰影を各々が示す複数のパターン要素を含み、前記第１パターン要素群に対する前記仮想的な光の照射方向は、前記表示面に含まれる１つの方向である操作方向に対して傾斜した方向であり、前記錯視誘起パターンは、前記操作方向に沿った前記表示面の往復動によって、前記第１パターン要素群が、前記操作方向とは異なる方向に、前記第２パターン要素群に対して相対的に動くように見える錯視を生じさせ、前記錯視抑制パターンは、複写機による前記表示面の複写によって顕像化するように構成され、前記錯視抑制パターンの顕像化によって前記錯視の誘起を抑制する。
【０００８】
上記構成によれば、複写防止媒体においては、錯視誘起パターンによって錯視が引き起こされる一方、複写防止媒体の複写物においては、錯視抑制パターンの顕像化によってこうした錯視が生じることが抑えられる。したがって、複写防止媒体とその複写物とを、錯視抑制パターンの顕像化の有無というパターンの見え方の違いに加えて、錯視が生じるか否かによって判別することができる。それゆえ、複写防止媒体と複写物との判別が容易となるため、複写防止媒体の偽造防止効果が高められる。
【０００９】
上記構成において、前記第１パターン要素群と前記第２パターン要素群とは、前記操作方向に沿って並んでいてもよい。
また、上記構成において、前記第１パターン要素群に含まれる前記パターン要素の有する形状は、前記第２パターン要素群に含まれる前記パターン要素の有する形状と異なってもよい。
【００１０】
また、上記構成において、前記第１パターン要素群に含まれる前記パターン要素の有する形状は、前記第２パターン要素群に含まれる前記パターン要素の有する形状と同一であってもよい。
【００１１】
また、上記構成において、前記第１パターン要素群に対する前記仮想的な光の照射方向と、前記第２パターン要素群に対する前記仮想的な光の照射方向とのなす角の角度は、１８０°とは異なる角度であってもよい。
【００１２】
また、上記構成において、前記パターン要素における縁部は、各パターン要素に１つずつの環上に位置し、前記錯視誘起パターンは、前記パターン要素間の隙間に位置する中濃度領域と、前記中濃度領域よりも色の薄い低濃度領域および前記中濃度領域よりも色の濃い高濃度領域の少なくとも一方である濃淡形成領域とを有し、前記濃淡形成領域は、前記パターン要素における前記縁部に位置し、当該縁部が位置する環においてその周方向の２分の１以上を占めてもよい。
【００１３】
また、上記構成において、前記濃淡形成領域は、線状に延びる形状を有して前記パターン要素における前記縁部を構成してもよい。
また、上記構成において、前記錯視誘起パターンは、前記濃淡形成領域として前記低濃度領域および前記高濃度領域を有し、前記低濃度領域の位置する部分は、前記縁部が位置する環においてその周方向の２分の１以下であり、前記高濃度領域の位置する部分は、前記縁部が位置する環においてその周方向の２分の１以下であってもよい。
【００１４】
また、上記構成において、前記第１パターン要素群および前記第２パターン要素群の少なくとも一方において、前記パターン要素における前記濃淡形成領域の位置する前記縁部は、前記操作方向および前記操作方向と直交する方向のいずれとも異なる方向に延びていてもよい。
【００１５】
また、上記構成において、前記第１パターン要素群および前記第２パターン要素群の少なくとも一方において、複数の前記パターン要素は、隣接する前記パターン要素間の距離が、前記操作方向および前記操作方向と直交する方向のいずれとも異なる方向に並ぶ前記パターン要素間において最も近くなるように並んでいてもよい。
【００１６】
これらの構成によれば、複写防止媒体において、錯視誘起パターンによる錯視が好適に引き起こされるため、複写防止媒体とその複写物との判別がより容易である。
上記構成において、前記錯視誘起パターンと前記錯視抑制パターンとは重なり、前記錯視抑制パターンは、前記第１パターン要素群を横切って延びる帯状の部分と、前記第２パターン要素群を横切って延びる帯状の部分とを有することが好ましい。
【００１７】
上記構成によれば、複写防止媒体の複写物において、錯視が好適に抑制されるため、複写防止媒体とその複写物との判別がより容易である。
【発明の効果】
【００１８】
本発明によれば、複写防止媒体における偽造防止効果を高めることができる。
【図面の簡単な説明】
【００１９】
【図１】複写防止媒体の一実施形態について、複写防止媒体の全体構成を示す平面図。
【図２】一実施形態における複写防止パターンの構成を模式的に示す図。
【図３】一実施形態における複写防止パターンの構成を拡大して示す図。
【図４】一実施形態における錯視誘起パターンの構成および錯視誘起パターンが誘起する錯視を模式的に示す図。
【図５】一実施形態における複写防止パターンの複写物を模式的に示す図。
【図６】複写防止パターンの構成の変形例を示す図。
【図７】複写防止パターンの構成の変形例を示す図。
【図８】複写防止パターンの構成の変形例を示す図。
【図９】複写防止パターンの構成の変形例を示す図。
【図１０】複写防止パターンの構成の変形例を示す図。
【図１１】複写防止パターンの構成の変形例を示す図。
【図１２】錯視誘起パターンの変形例を模式的に示す図。
【図１３】錯視誘起パターンの変形例を模式的に示す図。
【図１４】錯視誘起パターンの変形例を模式的に示す図。
【図１５】錯視誘起パターンの変形例を模式的に示す図。
【図１６】錯視誘起パターンの変形例を模式的に示す図。
【図１７】錯視誘起パターンの変形例を模式的に示す図。
【図１８】錯視誘起パターンの変形例を模式的に示す図。
【図１９】錯視誘起パターンの変形例を模式的に示す図。
【図２０】錯視抑制パターンの変形例を模式的に示す図。
【発明を実施するための形態】
【００２０】
図１〜図５を参照して、複写防止媒体の一実施形態について説明する。
［複写防止媒体の全体構成］
図１を参照して、複写防止媒体の全体構成について説明する。図１が示すように、複写防止媒体１００は、基材１１０を備えるとともに、複写防止媒体１００の有する少なくとも１つの面である表示面に、複写機による偽造を抑えるためのパターンである複写防止パターン１０を含んでいる。複写防止パターン１０は、表示面の全体に配置されていてもよいし、一部に配置されていてもよい。
【００２１】
基材１１０の材料は特に限定されず、基材１１０は、例えば、紙や樹脂シートから構成されている。また、基材１１０は、１つの層から構成されていても複数の層から構成されていてもよいし、複写防止媒体１００は、基材１１０に加えて、複写防止媒体１００を保護するための層などの他の層を備えていてもよい。複写防止パターン１０は、例えば、印刷によって基材１１０上に形成されている。
【００２２】
複写防止媒体１００の用途は特に限定されず、複写防止媒体１００は、有価証券や各種証明書等のように、複写機による偽造を抑える必要のある物品として用いられる。
［複写防止パターンの構成］
図２および図３を参照して、複写防止パターン１０の構成について説明する。図２が示すように、複写防止パターン１０は、錯視を誘起する錯視誘起パターン２０と、錯視誘起パターン２０によって錯視が引き起こされることを抑制する錯視抑制パターン３０とが表示面において重ね合わされたパターンである。図２においては、各パターンを模式的に示し、錯視抑制パターン３０を破線で示している。
【００２３】
錯視誘起パターン２０は、複写前の物品である複写防止媒体１００において目視により識別可能なパターンであり、低濃度領域２１、中濃度領域２２、および、高濃度領域２３を含んでいる。各領域における色の濃さは、低濃度領域２１、中濃度領域２２、高濃度領域２３の順に濃くなっている。なお、図２においてはこれらの領域の境界を明瞭に示すために、低濃度領域２１と中濃度領域２２との間に境界線を付しているが、こうした境界線は不要である。
【００２４】
錯視誘起パターン２０は、複数のパターン要素群２４から構成され、各パターン要素群２４は、複数のパターン要素２５から構成されている。複数のパターン要素群２４は、１つの方向に沿って並び、このパターン要素群２４の並ぶ方向がＹ方向であり、Ｙ方向と直交する方向がＸ方向である。例えば、図２にて、錯視誘起パターン２０は、３つのパターン要素群２４から構成されており、同一のパターンである２つのパターン要素群２４ａに、このパターン要素群２４ａと異なるパターンであるパターン要素群２４ｂが挟まれている。
【００２５】
パターン要素２５は、パターン要素群２４における繰り返しの最小単位であり、パターン要素２５の縁部に位置する低濃度領域２１と高濃度領域２３とによって周囲から区画された任意の図形形状を有する。例えば、図２にて、Ｙ方向の端部に位置するパターン要素群２４ａを構成するパターン要素２５ａは矩形形状を有し、Ｙ方向の中央部に位置するパターン要素群２４ｂを構成するパターン要素２５ｂは円形状を有している。
【００２６】
詳細には、パターン要素２５の縁部は、各パターン要素２５に１つずつの閉環状を有し、この縁部を低濃度領域２１と高濃度領域２３とが構成している。そして、パターン要素２５にて、低濃度領域２１と高濃度領域２３とからなる環の内部に中濃度領域２２が位置している。また、互いに隣り合うパターン要素２５間の隙間や、パターン要素群２４を囲む部分にも、中濃度領域２２が位置している。
【００２７】
低濃度領域２１は、線状に延び、パターン要素２５の縁部が形成する環においてその周方向の約２分の１を占めている。同様に、高濃度領域２３は、線状に延び、上記環における低濃度領域２１以外の部分、すなわち、上記環における周方向の約２分の１を占めている。そして、低濃度領域２１の２つの端部のうちの一方と高濃度領域２３の２つの端部のうちの一方とが接し、低濃度領域２１の２つの端部のうちの他方と高濃度領域２３の２つの端部の他方とが接している。例えば、パターン要素２５ａにおいては、矩形の互いに隣り合う２辺に低濃度領域２１が位置し、他の２辺に高濃度領域２３が位置する。また、パターン要素２５ｂにおいては、低濃度領域２１と高濃度領域２３との各々が半円上に位置する。
【００２８】
１つのパターン要素２５において、低濃度領域２１と高濃度領域２３との境界、すなわち、上記端部の一方同士が接する部分と上記端部の他方同士が接する部分との各々に位置する点を結ぶ直線である境界直線Ａは、Ｘ方向およびＹ方向のいずれに対しても傾斜している。
【００２９】
１つのパターン要素群２４を構成する複数のパターン要素２５において、各パターン要素２５に対して設定される境界直線ＡのＹ方向に対する傾きは同一である。また、Ｙ方向に沿って互いに隣り合う２つのパターン要素群２４において、パターン要素群２４のそれぞれを構成するパターン要素２５に対して設定される境界直線ＡのＹ方向に対する傾きは、互いに異なっている。すなわち、パターン要素群２４ａを構成するパターン要素２５ａに対応する境界直線Ａａと、パターン要素群２４ｂを構成するパターン要素２５ｂに対応する境界直線Ａｂとは、Ｙ方向に対する傾きが異なっている。
【００３０】
各パターン要素群２４において、複数のパターン要素２５は規則的に配置されている。例えば、図２では、各パターン要素群２４において、Ｘ方向に沿って延びる直線上に位置する複数のパターン要素２５の列が、Ｙ方向に沿って３つ並んでいる。Ｙ方向に沿って互いに隣り合うパターン要素２５の列において、各パターン要素２５のＸ方向における位置は一致しておらず、すなわち、これらの列はパターン要素２５のＸ方向における位置をずらしてＹ方向に並んでいる。なお、パターン要素群２４は、その端部付近などに、パターン要素２５の一部が欠けた要素を含んでいてもよい。
【００３１】
錯視抑制パターン３０は、複写防止媒体１００の複写物において顕像化するパターンである。すなわち、錯視抑制パターン３０は、複写防止媒体１００よりもその複写物において、視認性の高くなるパターンである。錯視抑制パターン３０は、複数の再現領域３２と複数の非再現領域３１とから構成されている。複写防止媒体１００にて、再現領域３２と非再現領域３１とは同程度の色の濃さを有する一方、複写防止媒体１００の複写物において、非再現領域３１の色は再現領域３２の色よりも薄くなる。これにより、複写防止媒体１００と比較して、その複写物では再現領域３２と非再現領域３１との色の濃さの違いが明瞭になるため、錯視抑制パターン３０が顕像化する。
【００３２】
再現領域３２と非再現領域３１とは、折れ線状に延びる各別の帯上に位置し、再現領域３２の含まれる帯状部分と非再現領域３１の含まれる帯状部分とは、Ｘ方向に沿って交互に並んでいる。これらの帯状部分における屈曲部分は、Ｙ方向に沿って互いに隣り合うパターン要素群２４の間の領域に位置する。すなわち、再現領域３２の含まれる帯状部分と非再現領域３１の含まれる帯状部分との各々は、各パターン要素群２４および各パターン要素２５を直線状に横切る。そして、再現領域３２の含まれる１つの帯状部分は、互いに隣り合うパターン要素群２４を連続して横切り、非再現領域３１の含まれる１つの帯状部分もまた、互いに隣り合うパターン要素群２４を連続して横切る。
【００３３】
図３を参照して、複写防止パターン１０の詳細構成について説明する。複写防止パターン１０は、円形状や多角形状の点である網点や、直線状に延びる万線などの微細構成要素、および、直線状に塗りつぶされた部分である太線の集合であって、これらの構成要素が上述の各領域に配置されることによって、複写防止パターン１０が構成されている。
【００３４】
図３が示す例では、低濃度領域２１には上記構成要素が配置されておらず、空白である。また、高濃度領域２３には太線が配置されている。すなわち、高濃度領域２３は塗りつぶされている。なお、太線は、複数の網点が、隣り合う網点同士が接触する程度まで密に配置されることによって構成されていてもよい。中濃度領域２２には、網点もしくは万線が配置されている。
【００３５】
複写防止パターン１０では、錯視誘起パターン２０と錯視抑制パターン３０とが重なっており、低濃度領域２１には再現領域３２の含まれる帯状部分と重なる部分と、非再現領域３１の含まれる帯状部分と重なる部分とが含まれるが、これらのいずれにおいても、低濃度領域２１には上記構成要素が配置されていない。同様に、高濃度領域２３には再現領域３２の含まれる帯状部分と重なる部分と、非再現領域３１の含まれる帯状部分と重なる部分とが含まれるが、これらのいずれにおいても、高濃度領域２３には太線が配置されている。
【００３６】
中濃度領域２２にも再現領域３２の含まれる帯状部分と重なる部分と、非再現領域３１の含まれる帯状部分と重なる部分とが含まれるが、再現領域３２の含まれる帯状部分と重なる部分には、万線が配置され、この領域は、中濃度領域２２かつ再現領域３２として機能する。一方、非再現領域３１の含まれる帯状部分と重なる部分には、網点が配置され、この領域は、中濃度領域２２かつ非再現領域３１として機能する。
【００３７】
再現領域３２に配置される万線の線幅は、複写機を用いた複写によって同様の形状の万線が再現されやすい線幅であればよく、例えば、０．０４ｍｍ以上０．３ｍｍ以下の範囲で設定されることが好ましい。
【００３８】
再現領域３２において、単位面積当たりの微細構成要素が占める面積、すなわち、単位面積当たりにおいて万線が占める面積の割合が再現領域３２の濃度であり、この濃度が、例えば、８％以上２０％以下となるように、万線間の間隔が設定されることが好ましい。例えば、隣接する万線の幅方向の中心間の距離である万線間の間隔は、０．２ｍｍ以上１．５ｍｍ以下の範囲で設定されることが好ましい。なお、再現領域３２に配置される万線の線幅や万線間の間隔は一定でなくともよい。
【００３９】
非再現領域３１に配置される網点の大きさは、複写機を用いた複写によって同様の形状の網点が再現されにくい大きさであればよく、例えば、網点の直径は、０．０１ｍｍ以上０．０５ｍｍ以下の範囲で設定されることが好ましい。なお、網点が円とは異なる形状を有する場合には、網点の外接円の直径が上記範囲内であればよい。
【００４０】
非再現領域３１において、単位面積当たりの微細構成要素が占める面積、すなわち、単位面積当たりにおいて網点が占める面積の割合が非再現領域３１の濃度であり、この濃度が、例えば、８％以上２０％以下となるように、網点間の間隔が設定されることが好ましい。例えば、隣接する網点の中心間の距離である網点間の間隔は、０．０５ｍｍ以上０．１５ｍｍ以下の範囲で設定されることが好ましい。また、非再現領域３１の濃度は再現領域３２の濃度と同程度に設定される。なお、非再現領域３１に配置される網点の直径や網点間の間隔は一定でなくともよい。
【００４１】
このように、再現領域３２の濃度と非再現領域３１の濃度とは、各領域における単位面積当たりの微細構成要素の占める割合であり、換言すれば、各領域に配置される微細構成要素の密度によって規定される。そして、再現領域３２の濃度と非再現領域３１の濃度とが同程度であるため、複写防止媒体１００においては再現領域３２と非再現領域３１との色の濃さが同程度に見える。したがって、複写防止媒体１００においては再現領域３２と非再現領域３１との識別がしにくく、錯視抑制パターン３０が個別に視認されにくい、すなわち、錯視抑制パターン３０の視認性は低い。
【００４２】
なお、再現領域３２と非再現領域３１との双方に、網点が配置されてもよい。この場合、再現領域３２に配置される網点の大きさは、複写機を用いた複写によって同様の形状の網点が再現されやすい大きさであればよく、例えば、網点の直径は、０．１ｍｍ以上０．３ｍｍ以下の範囲で設定されることが好ましい。また、再現領域３２において、網点間の間隔は、例えば、０．２５ｍｍ以上０．６ｍｍ以下の範囲で設定されることが好ましい。
【００４３】
あるいは、再現領域３２と非再現領域３１との双方に、万線が配置されてもよい。この場合、非再現領域３１に配置される万線の線幅は、複写機を用いた複写によって同様の形状の万線が再現されにくい大きさであればよく、例えば、０．０１ｍｍ以上０．０４ｍｍ未満の範囲で設定されることが好ましい。また、非再現領域３１において、万線間の間隔は、例えば、０．０５ｍｍ以上０．２５ｍｍ以下の範囲で設定されることが好ましい。
【００４４】
あるいは、再現領域３２に網点が配置され、非再現領域３１に万線が配置されてもよい。要は、再現領域３２には、複写による再現性の高い大きさの微細構成要素が配置されていればよく、非再現領域３１には、複写による再現性の低い大きさの微細構成要素が配置されていればよい。
【００４５】
上記構成においては、複写防止媒体１００の複写物において、低濃度領域２１と高濃度領域２３とは、複写前の複写防止媒体１００と同様に再現されるため、錯視誘起パターン２０は、複写防止媒体１００における当該パターンとほぼ同様に識別可能である。
【００４６】
［錯視誘起パターンによる錯視］
図４を参照して、錯視誘起パターン２０が誘起する錯視について説明する。錯視誘起パターン２０は、特定の方向である操作方向に複写防止媒体１００の表示面を往復動させたとき、すなわち、錯視誘起パターン２０を往復動させたとき、観察者に視覚的な錯覚である錯視を生じさせる。操作方向は、表示面に含まれる方向のなかで、錯視誘起パターン２０によって錯視が誘起される範囲で適宜設定されればよいが、例えば、複写防止媒体１００が矩形形状である場合、その縦辺もしくは横辺である１つの辺に沿った方向とされる。本実施形態では、操作方向はパターン要素群２４の並ぶ方向であるＹ方向と同一の方向であって、かつ、複写防止媒体１００の１つの辺に沿った方向である。すなわち、本実施形態において、複数のパターン要素群２４は、複写防止媒体１００の１つの辺に沿って並んでいる。
【００４７】
こうした錯視の説明に先立って、パターン要素２５の有する濃淡と仮想的な光との関係について説明する。上述のように、パターン要素２５は、低濃度領域２１と中濃度領域２２と高濃度領域２３とから構成され、周囲を中濃度領域２２によって囲まれている。これらの領域によって形成される濃淡は、パターン要素２５が位置する表示面から突き出た立体物の投影図における、所定の方向から立体物に光が照射された際の明暗として捉えられる。
【００４８】
すなわち、観察者にとって相対的に色の薄く見える部分である低濃度領域２１の位置する部分が、立体物のなかで光のあたっている部分として捉えられ、観察者にとって相対的に色の濃く見える部分である高濃度領域２３の位置する部分が、立体物のなかで陰になっている部分として捉えられる。このように、パターン要素２５の有する濃淡は、仮想的な光の照射に従った陰影を示す濃淡として捉えることができる。
【００４９】
図４が示すように、パターン要素２５に対する仮想的な光の照射方向Ｉｄは、低濃度領域２１と高濃度領域２３との境界を結ぶ境界直線Ａと直交する方向であり、１つのパターン要素群２４を構成する複数のパターン要素２５の各々に対する仮想的な光の照射方向Ｉｄはすべて同一の方向である。
【００５０】
一方、Ｙ方向に沿って互いに隣り合う２つのパターン要素群２４において、パターン要素群２４のそれぞれを構成するパターン要素２５に対する仮想的な光の照射方向Ｉｄは、互いに異なっている。例えば、パターン要素群２４ａのパターン要素２５ａに対する照射方向Ｉｄａは、パターン要素群２４ｂのパターン要素２５ｂに対する照射方向Ｉｄｂと異なっている。そして、いずれのパターン要素群２４においても、パターン要素２５に対する照射方向Ｉｄは操作方向に対して傾斜している。
【００５１】
なお、上述のように、各パターン要素群２４において、Ｘ方向に沿って延びる直線上に位置する複数のパターン要素２５の列は、パターン要素２５のＸ方向における位置をずらしてＹ方向に並んでいる。このとき、複数のパターン要素２５は、例えば、これらのパターン要素２５に対する照射方向Ｉｄとほぼ一致する方向に沿って延びる直線上に並んでいる。このパターン要素２５の並ぶ方向と照射方向Ｉｄとのなす角の角度は、１０°以下であることが好ましい。
【００５２】
上記構成において、操作方向に錯視誘起パターン２０を往復動させると、観察者には、互いに隣り合う２つのパターン要素群２４の一方に含まれるパターン要素２５が、操作方向とは異なる方向に、パターン要素群２４の他方に含まれるパターン要素２５に対して相対的に動いているように見える錯視が生じる。例えば、パターン要素群２４ｂのパターン要素２５ｂが、パターン要素群２４ａのパターン要素２５ａに対して振動しているように見える。なお、表示面からやや浮いた位置に焦点を合わせると、錯視が生じやすい。
【００５３】
こうした錯視が生じる原因は、例えば、以下のように推測される。すなわち、パターン要素２５が光の照射に従った陰影を示すように認識されるため、観察者は、パターン要素２５の位置を、その陰影の配置に基づいて、光源との位置関係によって認識する。この際、観察者は、互いに隣り合うパターン要素群２４について、各々のパターン要素群２４のパターン要素２５の位置を、互いに異なる位置にある光源との位置関係に基づいて認識している状態となる。その結果、錯視誘起パターン２０を動かした場合に、観察者は、互いに隣り合うパターン要素群２４のパターン要素２５の位置の移動量が異なるように、すなわち、パターン要素群２４ａのパターン要素２５ａの位置の移動の向きや大きさと、パターン要素群２４ｂのパターン要素２５ｂの位置の移動の向きや大きさとが異なるように錯覚すると考えられる。特に、パターン要素群２４ａの並ぶ方向であって、いずれの光の照射方向Ｉｄとも異なる操作方向に錯視誘起パターン２０を往復動させたときに、その錯覚が顕著となり、パターン要素２５が動くように見えると考えられる。
【００５４】
［錯視抑制パターンによる錯視の抑制］
図５を参照して、錯視抑制パターン３０による上記錯視の抑制について説明するとともに、本実施形態の複写防止媒体１００の偽造防止効果について述べる。図５は、複写防止媒体１００の複写防止パターン１０を複写した際に得られる像を模式的に示す図である。
【００５５】
上述のように、複写防止媒体１００においては、錯視抑制パターン３０の再現領域３２と非再現領域３１との色の濃さが同程度であるため、これらの領域の識別がしにくく、錯視抑制パターン３０の視認性は低い。これに対し、複写防止媒体１００の複写物においては、再現領域３２に配置されている微細構成要素は複写防止媒体１００と同様に再現される一方、非再現領域３１に配置されている微細構成要素は再現されにくく、一部もしくは全部が欠けたり掠れたりする。そのため、複写防止媒体１００よりもその複写物において、非再現領域３１の色は薄くなる。すなわち、複写物において、非再現領域３１の色は再現領域３２の色よりも薄く見える。
【００５６】
その結果、複写物では再現領域３２と非再現領域３１との色の濃さの違いが明瞭になるため、錯視抑制パターン３０が顕像化し、図５が示すように、パターン要素群２４を横切る帯状のパターンが視認されるようになる。
【００５７】
こうした複写物を、操作方向に往復動させても、複写防止媒体１００にて生じた錯視は起こりにくい。このように錯視が抑えられる原因は、例えば、以下のように推測される。すなわち、パターン要素群２４と重なる帯状の錯視抑制パターン３０の存在により、観察者は、パターン要素２５の位置を、この帯状のパターンとの位置関係によって認識する。この際、観察者は、互いに隣り合うパターン要素群２４について、各々のパターン要素群２４のパターン要素２５の位置を、これらに共通した折れ線状の帯状部分との位置関係に基づいて認識している状態となる。そのため、複写物を動かしたとしても、互いに隣り合うパターン要素群２４のパターン要素２５の位置の移動量が異なるように錯覚することが抑えられると考えられる。
【００５８】
なお、帯状部分の延びる方向は、例えば、パターン要素２５に対する仮想的な光の照射方向と同一であることが好ましい。すなわち、複数のパターン要素２５が仮想的な光の照射方向と略同一な方向に延びる直線上に配列されている場合は、このパターン要素２５の並ぶ方向と略同一な方向に帯状部分が延びることが好ましい。
【００５９】
このように、本実施形態の複写防止媒体１００によれば、複写防止媒体１００とその複写物とを、複写防止パターン１０に含まれる領域の色の濃さに基づいた見え方の違いに加えて、錯視が生じるか否かによって判別することができる。すなわち、パターンの顕像化の有無を利用する判別方法に加えて、こうした単なるパターンの見え方とは異なる、錯視を利用した判別方法によって複写防止媒体１００とその複写物とを判別することが可能となるため、複写防止媒体１００と複写物との判別が容易となる。したがって、複写防止媒体１００の偽造防止効果が高められる。
【００６０】
また、こうした複写防止媒体１００によれば、複写による偽造を抑えるための対策が施された媒体であるか否かを、複写防止パターン１０にて錯視が生じることを確かめることによって、器具や装置等を用いずに確認することも可能である。
【００６１】
［変形例］
上記実施形態の変形例について説明する。
＜複写防止パターン１０の構成要素＞
上記実施形態では、複写防止パターン１０は、低濃度領域２１にはパターンの構成要素が配置されておらず、中濃度領域２２には網点もしくは万線が配置され、高濃度領域２３には太線が配置されることにより構成されていた。こうした構成は、以下のように変更してもよい。
【００６２】
図６が示すように、高濃度領域２３には、万線が配置されていてもよい。また、高濃度領域２３には、網点が配置されていてもよい。このように高濃度領域２３に微細構成要素が配置される場合、高濃度領域２３の濃度が中濃度領域２２の濃度よりも高くなるように、各領域における微細構成要素の配置密度が設定される。
【００６３】
高濃度領域２３に微細構成要素が配置される場合、高濃度領域２３の全体、もしくは、高濃度領域２３のなかで非再現領域３１の含まれる帯状部分と重なる部分が、複写防止媒体１００よりもその複写物において、色が薄くなるように構成されていてもよい。
【００６４】
例えば、図７が示すように、高濃度領域２３にて、複写によって再現されやすい線幅の万線と再現されにくい線幅の万線とが交互に配置される。こうした構成によれば、複写防止媒体１００よりもその複写物において、高濃度領域２３の色が薄くなる。したがって、複写物においては、パターン要素２５の有する濃淡の差が小さくなるため、この濃淡が仮想的な光の照射に従った陰影を示すように認識されにくくなる。結果として、複写物において錯視がより生じ難くなるため、複写防止媒体１００と複写物との判別がより容易となる。
【００６５】
また例えば、図８が示すように、高濃度領域２３のなかで再現領域３２の含まれる帯状部分と重なる部分には、複写によって再現されやすい大きさの網点が配置され、高濃度領域２３のなかで非再現領域３１の含まれる帯状部分と重なる部分には、複写によって再現されにくい大きさの網点が配置されてもよい。部分によって配置される網点の大きさが異なっていても、単位面積当たりの網点の占める面積の割合が同程度であれば、高濃度領域２３の色の濃さは高濃度領域２３の全体で均等に見える。こうした構成によれば、高濃度領域２３のなかで非再現領域３１の含まれる帯状部分と重なる部分は、高濃度領域２３かつ非再現領域３１として機能し、この部分の色は、複写防止媒体１００よりもその複写物において薄くなる。したがって、複写物においては、パターン要素２５の有する濃淡が仮想的な光の照射に従った陰影を示すように認識されにくくなるとともに、錯視抑制パターン３０の視認性がより高められる。結果として、複写物において錯視がより生じ難くなるため、複写防止媒体１００と複写物との判別がより容易となる。
【００６６】
図９が示すように、高濃度領域２３のなかで非再現領域３１の含まれる帯状部分と重なる部分には、再現領域３２の含まれる帯状部分と重なる部分と比較して細い線幅の太線が配置されてもよい。また、図１０が示すように、高濃度領域２３に太線が配置される場合において、太線は点線状であってもよい。高濃度領域２３に配置される構成要素が占有面積の小さい構成要素であるほど、複写物でのその構成要素の再現性が低くなり、その構成要素の配置部分では高濃度領域２３の色が薄くなりやすい。そのため、上記構成によっても、複写物においてパターン要素２５の有する濃淡が仮想的な光の照射に従った陰影を示すように認識されにくくなり、錯視がより生じ難くなる。
【００６７】
図１１が示すように、非再現領域３１に配置される微細構成要素は、マイクロ文字であってもよい。マイクロ文字は、微細な文字や記号であって、複写機を用いた複写によって同様の形状のマイクロの文字が再現されにくい大きさおよび線幅を有している。具体的には、マイクロ文字の文字径、すなわち、マイクロ文字を囲む最小の正方形における対角線の長さは、０．１５ｍｍ以上０．３５ｍｍ以下であることが好ましい。また、マイクロ文字の線幅は、０．０４ｍｍ未満であることが好ましい。マイクロ文字が用いられる構成では、複写防止媒体１００とその複写物とを拡大して観察することによって、複写防止媒体１００と複写物とをより容易に判別することができる。
【００６８】
図１１に示す例では、非再現領域３１には、複数種類の文字径のマイクロ文字と複数種類の直径の網点とが混在して配置されている。このように、複写防止パターン１０を構成する領域の各々には、複数種類の構成要素が配置されていてもよい。
【００６９】
また、上記実施形態においては、低濃度領域２１に構成要素が配置されていないが、低濃度領域２１の濃度が中濃度領域２２の濃度よりも低くなる構成であれば、すなわち、単位面積当たりにおいて構成要素が占める面積の割合が中濃度領域２２よりも低濃度領域２１にて低くなる構成であれば、低濃度領域２１に網点等の構成要素が配置されていてもよい。
【００７０】
＜錯視誘起パターン２０の構成＞
錯視誘起パターン２０は、特定の方向である操作方向に錯視誘起パターン２０を往復動させた場合に、複数のパターン要素群２４の一部が他のパターン要素群２４に対して相対的に動くように見える錯視を生じさせるパターンであれば、上記実施形態のパターンとは異なっていてもよい。例えば、錯視誘起パターン２０は、以下のように変更してもよい。なお、図１２〜図１９においては、パターンの構成を明瞭に示すために、錯視誘起パターン２０のみを示す。
【００７１】
・パターン要素２５の形状は、矩形形状や円形状に限らず、三角形や五角形等の多角形形状や楕円形状であってもよい。また、パターン要素群２４ごとにパターン要素２５の形状が異なってもよいし、すべてのパターン要素群２４についてパターン要素２５の形状が同一であってもよい。また、１つのパターン要素群２４に、複数種類の形状のパターン要素２５が含まれてもよい。
【００７２】
・パターン要素群２４におけるパターン要素２５の配列の態様は特に限定されない。複数のパターン要素２５は、Ｙ方向やＸ方向に沿って並んでいてもよいし、これらとは異なる方向に並んでいてもよい。すなわち、複数のパターン要素２５は、隣接するパターン要素２５間の距離が、操作方向や操作方向と直交する方向に隣接するパターン要素２５間において最も近くなるように並んでいてもよいし、操作方向および操作方向と直交する方向のいずれとも異なる方向に隣接するパターン要素２５間において最も近くなるように並んでいてもよい。
【００７３】
例えば、図１２が示す例では、パターン要素群２４のパターン要素２５は、隣接するパターン要素２５間の距離が、Ｙ方向に対して傾斜した方向に隣接するパターン要素２５間において最も近くなるように並んでいる。図１２が示すように、互いに隣接するパターン要素２５は接していてもよい。また例えば、図１３が示す例では、パターン要素群２４ａのパターン要素２５ａは、隣接するパターン要素２５ａ間の距離が、Ｘ方向に隣接するパターン要素２５ａ間において最も近くなるように並んでいる。
【００７４】
隣接するパターン要素２５間の距離が操作方向もしくは操作方向と直交する方向において最も近くなるように複数のパターン要素２５が並んでいるとき、パターン要素２５の縁部に位置する低濃度領域２１や高濃度領域２３は、操作方向および操作方向と直交する方向のいずれとも異なる方向に延びていることが好ましい。また、パターン要素２５の縁部に位置する低濃度領域２１や高濃度領域２３が、操作方向もしくは操作方向と直交する方向に延びているとき、隣接するパターン要素２５間の距離が操作方向および操作方向と直交する方向のいずれとも異なる方向において最も近くなるように複数のパターン要素２５が並んでいることが好ましい。
【００７５】
こうした構成によれば、パターン要素２５の配列方向とパターン要素２５の縁部の延びる方向との双方が、操作方向もしくは操作方向と直交する方向と一致する構成と比較して、錯視誘起パターン２０を操作方向に往復動させた場合に、パターン要素２５の位置の錯覚が生じやすい。
【００７６】
・パターン要素２５の有する濃淡を、仮想的な光の照射に従った陰影として捉えた場合に、この光の照射方向は、少なくとも一部のパターン要素群２４のパターン要素２５にて、操作方向に対して傾斜していればよい。そして、この光の照射方向が操作方向に対して傾斜した方向であるパターン要素２５が、他のパターン要素群２４のパターン要素２５に対して動くように見える錯視が生じるように、各パターン要素群２４のパターン要素２５に対する仮想的な光の照射方向が設定され、その方向に応じた濃淡を各パターン要素２５が有していればよい。例えば、先の図１３が示す例において、パターン要素群２４ａのパターン要素２５ａに対する仮想的な光の照射方向は操作方向に対して傾斜しておらず、パターン要素群２４ｂのパターン要素２５ｂに対する仮想的な光の照射方向は操作方向に対して傾斜している。
【００７７】
ただし、すべてのパターン要素群２４について、パターン要素２５に対する仮想的な光の照射方向が操作方向に対して傾斜している構成の方が、錯視誘起パターン２０を操作方向に往復動させた場合に、パターン要素２５の位置の錯覚が生じやすいため好ましい。また、こうしたパターン要素２５の位置の錯覚を生じやすくするためには、互いに隣り合う２つのパターン要素群２４において、各パターン要素群２４のパターン要素２５に対する仮想的な光の照射方向のなす角度は、１８０°とは異なる角度であることが好ましく、２０°以上１６０°以下であることがより好ましく、６０°以上１２０°以下であることがさらに好ましい。
【００７８】
・上記実施形態では、錯視誘起パターン２０は、低濃度領域２１と中濃度領域２２と高濃度領域２３との３段階の濃度の領域を有し、低濃度領域２１と高濃度領域２３とがパターン要素２５の縁部に位置することによって、パターン要素２５の有する濃淡が表された。これに限らず、仮想的な光の照射に従った陰影を示すことが可能であれば、パターン要素２５の有する濃淡は、２段階の濃度や４段階以上の濃度の領域を用いて表されてもよい。例えば、図１４が示すように、錯視誘起パターン２０が、中濃度領域２２と、中濃度領域２２よりも濃度の高い高濃度領域２３とから構成され、パターン要素２５の縁部に高濃度領域２３が位置することによって、パターン要素２５の有する濃淡が表現されてもよい。
【００７９】
すなわち、パターン要素２５の縁部には、パターン要素２５間の隙間に位置する中濃度領域２２よりも色の薄い低濃度領域２１および中濃度領域２２よりも色の濃い高濃度領域２３の少なくとも一方が濃淡形成領域として位置し、パターン要素２５において仮想的な光の照射に従った陰影を示す濃淡が形成されていればよい。
【００８０】
・上記図１４が示すように、パターン要素２５の縁部に位置する上記濃淡形成領域は、閉環を構成していなくてもよい。すなわち、パターン要素２５の縁部は環上に位置していれば、視認可能な閉環を構成していなくともよい。例えば、図１５が示すように、パターン要素２５の縁部が位置する環上において、低濃度領域２１の端部と高濃度領域２３の端部とは離れていてもよい。
【００８１】
なお、パターン要素２５の有する濃淡が仮想的な光の照射に従った陰影として認識されやすくするためには、濃淡形成領域は、パターン要素２５の縁部が位置する環においてその周方向の２分の１以上を占めることが好ましい。また、濃淡形成領域が低濃度領域２１と高濃度領域２３とから構成される場合、低濃度領域２１の位置する部分は、上記環においてその周方向の２分の１以下であり、高濃度領域２３の位置する部分は、上記環においてその周方向の２分の１以下であることが好ましい。
【００８２】
・図１６が示すように、低濃度領域２１や高濃度領域２３は、パターン要素２５の縁部に限らず、パターン要素２５の内部に位置してもよい。要は、パターン要素２５は、仮想的な光の照射に従った陰影を示す濃淡を有していればよい。
【００８３】
・上記実施形態では、低濃度領域２１と高濃度領域２３とは線状に延びてパターン要素２５の縁部を構成したが、仮想的な光の照射に従った陰影を示す濃淡を形成可能であれば、低濃度領域２１と高濃度領域２３とは線状でなくてもよい。
【００８４】
例えば、図１７が示すように、パターン要素２５は低濃度領域２１と高濃度領域２３とから構成され、低濃度領域２１と高濃度領域２３との境界がパターン要素の中央を通る直線状に延びていてもよい。こうした構成においては、低濃度領域２１と高濃度領域２３との各々は、パターン要素２５の縁部と内部とに位置する。
【００８５】
また例えば、低濃度領域２１の位置する縁部から高濃度領域２３の位置する縁部に向けて、パターン要素２５内で濃度が徐々に変化してもよい。すなわち、パターン要素２５の有する濃淡がグラデーションを構成していてもよい。
【００８６】
また、パターン要素群２４ごとに、こうした濃淡を形成するための低濃度領域２１と高濃度領域２３との構成が異なっていてもよい。例えば、図１８が示す例では、パターン要素群２４ａのパターン要素２５ａでは、低濃度領域２１と高濃度領域２３とは線状に延び、パターン要素群２４ｂのパターン要素２５ｂでは、低濃度領域２１と高濃度領域２３とはパターン要素２５ｂの中央部まで広がっている。
【００８７】
・錯視誘起パターン２０に含まれるパターン要素群２４の数は、特に限定されず、錯視誘起パターン２０は、互いに隣り合う２つのパターン要素群２４を含み、各パターン要素群２４は、群ごとの方向からの仮想的な光の照射に従った陰影を示す複数のパターン要素２５から構成されていればよい。
【００８８】
・パターン要素群２４は、仮想的な光の照射方向が同一となる濃淡を有するパターン要素２５の集合であって、互いに隣り合うパターン要素群２４の間には、これらのパターン要素群２４を区分けする間隔があいていなくてもよいし、パターン要素群２４はＸ方向にも並んでいてもよい。また、Ｙ方向に隣り合うパターン要素群２４について、Ｘ方向の端部に位置するパターン要素２５は、Ｙ方向に延びる直線上に配置されていなくてもよいし、１つのパターン要素群２４において、Ｙ方向の端部に位置するパターン要素２５は、Ｘ方向に延びる直線上に配置されていなくてもよい。
【００８９】
・上記実施形態では、パターン要素群２４の並ぶ方向と一致する方向を操作方向としたが、操作方向は、パターン要素群２４の並ぶ方向と異なっていてもよい。例えば、図１９が示す例では、操作方向は紙面上下方向であり、パターン要素群２４の並ぶ方向は操作方向に対して傾斜している。すなわち、錯視誘起パターン２０は、少なくとも特定の１つの方向に往復動させるときに錯視を引き起こすパターンであればよい。
【００９０】
また、操作方向に錯視誘起パターン２０を往復動させたときに見えるパターン要素２５の動きは、複数のパターン要素群２４のなかで、一部のパターン要素群２４が他のパターン要素群２４に対して相対的に動いているように見える動きであればよい。例えば、上記実施形態の錯視誘起パターン２０において、パターン要素群２４ａのパターン要素２５ａが、パターン要素群２４ｂのパターン要素２５ｂに対して動いているように見えてもよい。
【００９１】
・錯視誘起パターン２０は、単色によって表現されてもよいし、複数色によって表現されてもよい。上記実施形態では、パターン要素２５の濃淡を形成するための各領域の色の濃さは、各領域における単位面積当たりの構成要素の占める面積の割合によって規定されたが、これに限らず、各領域の示す色の色相や彩度や明度等によって、各領域の色の濃さが規定されてもよい。
【００９２】
＜錯視抑制パターン３０の構成＞
錯視抑制パターン３０は、錯視誘起パターン２０による錯視の誘起を抑えることの可能なパターンであれば、上記実施形態のパターンとは異なっていてもよい。
【００９３】
例えば、図２０が示すように、錯視抑制パターン３０は、曲線状の帯が錯視誘起パターン２０の中央部から延びる渦巻き状のパターンであってもよい。また、錯視抑制パターン３０は、錯視誘起パターン２０と重ならず、例えば、錯視誘起パターン２０と接する位置に配置されていてもよい。
【００９４】
なお、錯視抑制パターン３０が、錯視を抑えやすくするため、すなわち、パターン要素２５の位置の認識の基準として機能しやすくするためには、錯視抑制パターン３０は、１つのパターン要素群２４を横切って延びる帯状の部分と、このパターン要素群２４と隣接するパターン要素群２４を横切って延びる帯状の部分とを有し、これらの帯状部分が１つの連続した帯形状の一部であることが好ましい。
【００９５】
以上説明したように、上記実施形態および変形例の複写防止媒体によれば、以下の効果が得られる。なお、上記実施形態および変形例においては、パターン要素群２４ｂが第１パターン要素群の一例であり、パターン要素群２４ａが第２パターン要素群の一例である。
【００９６】
（１）複写防止媒体１００においては、錯視誘起パターン２０によって錯視が引き起こされる一方、複写防止媒体１００の複写物においては、錯視抑制パターン３０の顕像化によってこうした錯視が生じることが抑えられる。したがって、複写防止媒体１００とその複写物とを、錯視抑制パターン３０の顕像化の有無というパターンの見え方の違いに加えて、錯視が生じるか否かによって判別することができる。それゆえ、複写防止媒体１００と複写物との判別が容易となるため、複写防止媒体１００の偽造防止効果が高められる。
【００９７】
（２）以下の構成によって、操作方向に沿って表示面を往復動させた場合に、パターン要素２５の位置の錯覚が生じやすくなる。すなわち、第１パターン要素群が、操作方向とは異なる方向に、第２パターン要素群に対して相対的に動くように見える錯視が生じやすくなり、複写防止媒体１００とその複写物との判別がより容易になる。
【００９８】
・第１パターン要素群と第２パターン要素群とが操作方向に沿って並んでいる。
・第１パターン要素群に含まれるパターン要素２５に対する仮想的な光の照射方向と、第２パターン要素群に含まれるパターン要素２５に対する仮想的な光の照射方向とのなす角の角度は、１８０°とは異なる角度である。
【００９９】
・第１パターン要素群および第２パターン要素群の少なくとも一方において、パターン要素２５の縁部にて低濃度領域２１および高濃度領域２３の少なくとも一方である濃淡形成領域の位置する部分は、操作方向および操作方向と直交する方向のいずれとも異なる方向に延びている。
【０１００】
・第１パターン要素群および第２パターン要素群の少なくとも一方において、複数のパターン要素２５は、隣接するパターン要素２５間の距離が、操作方向および操作方向と直交する方向のいずれとも異なる方向に並ぶパターン要素２５間において最も近くなるように並んでいる。
【０１０１】
（３）以下の構成によって、パターン要素２５の有する濃淡が仮想的な光の照射に従った陰影として認識されやすくなる。したがって、操作方向に沿って表示面を往復動させた場合に、錯視が生じやすくなる。
【０１０２】
・錯視誘起パターン２０は、中濃度領域２２と、低濃度領域２１および高濃度領域２３の少なくとも一方である濃淡形成領域とを有し、濃淡形成領域は、パターン要素２５における縁部に位置し、当該縁部が位置する環においてその周方向の２分の１以上を占める。
【０１０３】
・濃淡形成領域は、線状に延びる形状を有してパターン要素２５の縁部を構成する。
・濃淡形成領域が低濃度領域２１と高濃度領域２３とから構成され、低濃度領域２１の位置する部分は、パターン要素２５の縁部が位置する環においてその周方向の２分の１以下であり、高濃度領域２３の位置する部分は、上記縁部が位置する環においてその周方向の２分の１以下である。
【０１０４】
（４）錯視誘起パターン２０と錯視抑制パターン３０とが重なり、錯視抑制パターン３０が、第１パターン要素群を横切って延びる帯状の部分と、第２パターン要素群を横切って延びる帯状の部分とを有する構成では、複写防止媒体１００の複写物において、錯視が好適に抑制される。したがって、複写防止媒体１００とその複写物との判別がより容易である。
【符号の説明】
【０１０５】
１０…複写防止パターン、２０…錯視誘起パターン、２１…低濃度領域、２２…中濃度領域、２３…高濃度領域、２４…パターン要素群、２５…パターン要素、３０…錯視抑制パターン、３１…非再現領域、３２…再現領域、１００…複写防止媒体。
【図１】
0006780302.tif 000002
【図２】
0006780302.tif 000003
【図３】
0006780302.tif 000004
【図４】
0006780302.tif 000005
【図５】
0006780302.tif 000006
【図６】
0006780302.tif 000007
【図７】
0006780302.tif 000008
【図８】
0006780302.tif 000009
【図９】
0006780302.tif 000010
【図１０】
0006780302.tif 000011
【図１１】
0006780302.tif 000012
【図１２】
0006780302.tif 000013
【図１３】
0006780302.tif 000014
【図１４】
0006780302.tif 000015
【図１５】
0006780302.tif 000016
【図１６】
0006780302.tif 000017
【図１７】
0006780302.tif 000018
【図１８】
0006780302.tif 000019
【図１９】
0006780302.tif 000020
【図２０】
0006780302.tif 000021